(57)【要約】【課題】鏡が汚れにくく、傷つきにくく、また見栄えの良い鏡付手袋を提供する。【解決手段】鏡付手袋は、手袋の甲部に鏡を取り付けた鏡付手袋であって、鏡を覆う覆い部と、覆い部を甲部の所定位置で甲部と取り付ける少なくとも１以上の取付部とを備えることを特徴とする。【選択図】図２
0003174788.tif 000002
【実用新案登録請求の範囲】
【請求項１】
手袋の甲部に鏡を取り付けた鏡付手袋であって、
前記鏡を覆う覆い部と、
前記覆い部を前記甲部の所定位置で前記甲部と取り付ける少なくとも１以上の取付部とを備えることを特徴とする鏡付手袋。
【請求項２】
前記覆い部の一端を手袋本体の手首側近傍で前記甲部と固定する第１の固定部と、
前記覆い部のもう一端を手袋本体の手指側近傍で前記甲部と着脱自在に係止する第１の係止部とを備えることを特徴とする請求項１に記載の鏡付手袋。
【請求項３】
前記覆い部の一端を手袋本体の親指側近傍で前記甲部と固定する第２の固定部と、
前記覆い部のもう一端を手袋本体の小指側近傍で前記甲部と着脱自在に係止する第２の係止部とを備えることを特徴とする請求項１に記載の鏡付手袋。
【請求項４】
前記覆い部の一端を手袋本体の手首側近傍で前記甲部と着脱自在に係止する第３の係止部と、
前記覆い部のもう一端を手袋本体の手指側近傍で前記甲部と着脱自在に係止する第４の係止部とを備えることを特徴とする請求項１に記載の鏡付手袋。
【請求項５】
前記覆い部は、前記鏡の鏡面を払拭する鏡面払拭部をさらに備えることを特徴とする請求項１から４の何れか１項に記載の鏡付手袋。
【請求項６】
前記覆い部は、外部からの衝撃を吸収する衝撃吸収部をさらに備えることを特徴とする請求項１から５の何れか１項に記載の鏡付手袋。
【請求項７】
前記覆い部は、前記甲部を装う外装部をさらに備えることを特徴とする請求項１から６の何れか１項に記載の鏡付手袋。
【考案の詳細な説明】
【技術分野】
【０００１】
本考案は、鏡付手袋に関する。
【背景技術】
【０００２】
近年、自らの容姿等を確認するための鏡付手袋がよく知られている。特許文献１には、手袋の甲部分に反射鏡を取り付け、自らの顔や周囲の様子を自由自在に確認することができる鏡付手袋に係る考案が開示されている。
【先行技術文献】
【特許文献】
【０００３】
【特許文献１】実用新案登録第３０２９３８７号公報
【考案の概要】
【考案が解決しようとする課題】
【０００４】
確かに、特許文献１に係る鏡付手袋を着用している限り、いつでもどこでも自らの容姿を確認することは可能である。しかし、手袋の甲部にむき出しの状態で鏡が取り付けられているため、汚れやすく、傷つきやすく、また見栄えも良くない。
【０００５】
そこで、本考案は、鏡が汚れにくく、傷つきにくく、また見栄えの良い鏡付手袋を提供することを目的とする。
【課題を解決するための手段】
【０００６】
上記課題を解決するため、本考案の鏡付手袋は、手袋の甲部に鏡を取り付けた鏡付手袋であって、鏡を覆う覆い部と、覆い部を甲部の所定位置で甲部と取り付ける少なくとも１以上の取付部とを備えることを特徴とする。
【考案の効果】
【０００７】
本考案によれば、手袋の甲部に取り付けた鏡を所定の覆い部で覆うことにより、鏡が覆い部で保護されるため、手袋に取り付けた鏡への汚れや傷つきを防止でき、また手袋に鏡を取り付けても見栄えを損なうことが無い。
【図面の簡単な説明】
【０００８】
【図１】本考案の第１実施形態の鏡付手袋の外観斜視図である。
【図２】本考案の第１実施形態の鏡付手袋において、覆い部が着脱される様子を表した斜視図である。
【図３】本考案の第２実施形態の鏡付手袋において、覆い部が着脱される様子を表した斜視図である。
【図４】本考案の第３実施形態の鏡付手袋において、覆い部が着脱される様子を表した斜視図である。
【図５】本考案の実施形態の鏡付手袋に係る係止部をスナップボタンで構成した変形例を表す図である。
【考案を実施するための形態】
【０００９】
以下、本考案の実施形態の鏡付手袋について図を用いて説明する。本考案の実施形態の鏡付手袋は、その甲部に鏡および該鏡を覆う覆い部を備えることを特徴とするものである。なお、図中の鏡付手袋は右手用を表しているが、一例であり、本考案の実施形態の鏡付手袋の構成が左手用に適用されるものであってもよい。また本考案の実施形態の鏡付手袋の素材には、布・皮・合成樹脂などが用いられる。さらに、図中の鏡付手袋は指ありのもの（指先まで覆われる手袋）を表しているが、本考案の実施形態の鏡付手袋として、指なしのもの（指先から第２関節付近まではむき出しの状態である手袋）を採用してもよい。
【００１０】
［第１実施形態］
本考案の第1実施形態の鏡付手袋１について、図１及び図２を用いて以下説明する。図１に表すように、手袋１の甲部１０側に覆い部１１が設けられる。覆い部１１は、手袋１の甲部中央付近に取り付けられた鏡１２を覆う部材である。覆い部１１の素材は、布、合成繊維その他の鏡を覆うことができるものであればよい。覆い部１１を設けることにより、塵や曇り等による鏡の汚れを防止し、また鏡表面が傷つくことを防ぐことができる。なお、覆い部の形状は、角部が丸みを帯びた矩形状であるが、この形状に限られるものではない。また、覆い部の面積（縦×横）は、甲部の面積に合わせて変更可能である。
【００１１】
図２は、本考案の第１実施形態の鏡付手袋１において、覆い部１１が着脱される様子を表した斜視図である。本実施形態の鏡付手袋１は、甲部１０に、鏡１２、面ファスナーループ部１０１（第１の係止部）、及び第１の固定部１０３を備える。また、覆い部１１の一方（固定部１０３の反対側）の端部下面（ウラ面）に、面ファスナーループ部１０１と接合される面ファスナーフック部１０２が設けられる。なお、第１の固定部１０３および第1の係止部は共に取付部の概念に含まれるものとする。
【００１２】
本実施形態の鏡１２は、厚みが約２ｍｍのアクリルミラーや塩ビミラーで構成されるが、この厚みや素材に限られるものではない。また、本実施形態の鏡１２は、甲部１０に接着剤等により接着されるが、これに限られず手袋に鏡を接着できる方法（溶着など）であればよい。なお、本実施形態の鏡１２の形状は角部が丸みを帯びた矩形状であるが、円形状や楕円形状などその他の形状であってもよい。また、鏡は、その面積が覆い部の面積を超えないように形成される。
【００１３】
本実施形態の第１の固定部は、覆い部１１が手袋の甲部１０の手首側近傍で固定される部分である。固定するには、接着剤等を用いるが、これに限られず覆い部１１を手袋に固定できる方法（縫合など）であればよい。
【００１４】
面ファスナーループ部１０１は、甲部１０の手指側に接着剤等により取り付けられる。面ファスナーループ部１０１の甲部への取付けは、左記接着剤による接着方法に限らず、例えば縫合によるものであってもよい。なお、本実施形態における面ファスナーループ部および面ファスナーフック部は、幅が約１０ｍｍで、長さが約５０ｍｍの横長の長方形状で形成されるが、この形状に限られず、覆い部の端部（縦または横）の長さに合わせて変更可能である。
【００１５】
図１に表すように、鏡１２を使用しないとき、覆い部１１は面ファスナーループ部１０１と面ファスナーフック部１０２とが接合されることで甲部１０に被せられ、鏡１２が覆われる。
【００１６】
一方、図２に表すように、手袋の手指側を上部とし、手首側を下部として鏡１２を使用するとき、面ファスナーループ部１０１から面ファスナーフック部１０２を外すことにより、覆い部１１を第１の固定部１０３から手前に折り返す。覆い部１１に覆われていた鏡１２が外面に現れるため、鏡を使用することができる。
【００１７】
なお、第１の固定部１０３を手袋の甲部１０の手首側近傍に設けたことにより、鏡１２の使用時、第１の固定部１０３から手前に（図中の矢印方向に）折り返された覆い部１１の端部（面ファスナーフック部１０２取付側）が手首側へ垂れ下がる。そのため、覆い部１１を一方の手で保持しておく必要が無い。
【００１８】
［第２実施形態］
本考案の第２実施形態の鏡付手袋２について、図３を用いて以下説明する。本考案の第２実施形態の鏡付手袋２は、第１実施形態の鏡付手袋１とは、覆い部の取付構造が異なる。なお、第１実施形態と同様の構成については、その説明を省略する。
【００１９】
第１実施形態と異なり、本考案の第２実施形態の鏡付手袋２は、甲部２０の小指側に面ファスナーループ部２０１（第２の係止部）を設け、親指側に第２の固定部２０３が設けられる構成をとる。すなわち、本実施形態に係る鏡付手袋２の小指側を上部とし、親指側を下部として鏡２２を使用することができる。
【００２０】
［第３実施形態］
本考案の第３実施形態の鏡付手袋３について、図４を用いて以下説明する。本考案の第３実施形態の鏡付手袋３は、第１実施形態と異なり、覆い部を甲部から着脱可能に構成した点に特徴がある。なお、第１実施形態と同様の構成については、その説明を省略する。
【００２１】
すなわち、本考案の第３実施形態の鏡付手袋３は、第１実施形態における第１の固定部１０３に代えて、手首側に面ファスナーループ部３０３（第３の係止部）を設け、これと接合する面ファスナーフック部３０４を覆い部３１の端部（面ファスナーループ部３０３に対応）に設けた点に特徴がある。
【００２２】
つまり、鏡３２を使用しないとき、面ファスナーループ部３０１（第４の係止部）と面ファスナーフック部３０２を接合し、面ファスナーループ部３０３と面ファスナーフック部３０４を接合する。これにより、鏡３２が覆い部３１で覆われる。
【００２３】
また、鏡３２を使用するとき、面ファスナーループ部３０１から面ファスナーフック部３０２を、面ファスナーループ部３０３から面ファスナーフック部３０４を取り外す。このとき、あえて面ファスナーループ部３０３から面ファスナーフック部３０４を取り外す必要は無い。面ファスナーループ部３０１から面ファスナーフック部３０２を取り外すことで、覆い部３１が手首側へ垂れ下がるので、第１実施形態と同様に鏡３２を使用できる。
【００２４】
また、上記から、覆い部３１を甲部３０より取り外すことができるので、覆い部３１が汚れたときに洗濯したり、破損したときに代替品と交換することができる。
【００２５】
なお、上記各実施形態の鏡付手袋は、面ファスナーを用いて手袋の甲部に鏡を着脱自在に取り付ける構成としてもよい。これにより、手袋本体を洗濯するときに鏡を手袋本体から取り外せば、鏡が傷づくおそれも無くなる。
【００２６】
［変形例１］
上記各実施形態の鏡付手袋に係る覆い部を、鏡の鏡面を払拭するためのクリーニングクロス（鏡面払拭部）で構成してもよい。これにより、鏡の鏡面に付着した塵や曇りなどの汚れを除去することができる。また、覆い部自体がクリーニングクロスであってもよいが、覆い部に別部材としてのクリーニングクロスを接着剤等により接着して取り付けてもよい。なお、本実施形態の覆い部には、クリーニングクロスとしてポリエステル製の超極細繊維を採用するが、これに限られず、鏡面に付着した汚れを払拭できる素材であればよい。
【００２７】
［変形例２］
また、上記各実施形態の鏡付手袋に係る覆い部を、外部からの衝撃を吸収する衝撃吸収材（衝撃吸収部）で構成してもよい。これにより、鏡が覆い部により防護されるので、外部からの衝撃による破損を防ぐことができる。また、必ずしも覆い部自体が衝撃吸収部材で構成される必要は無く、覆い部に別部材としての衝撃吸収材を設けてもよい。なお、衝撃吸収材は、ウレタンやスポンジなどの素材で構成するが、これに限られず、鏡を外部の衝撃から防護できる素材であればよい。
【００２８】
［変形例３］
さらに、上記各実施形態の鏡付手袋に係る覆い部を、手袋の甲部を装う外装部材（外装部）で構成してもよい。覆い部を、使用する手袋と同じ模様や色彩を施したデザインの外装部材で構成すれば、覆い部を設けることにより手袋のデザイン（見栄え）が損なわれることも無い。また、覆い部を、いわゆるワンポイントマークのようなデザインの外装部材で構成すれば、各人の好みに応じた図柄を手袋に反映させることができる。さらに、上記第３実施形態の構成ともあいまって、様々なデザインが施された覆い部を着脱自在な構成とすることで、着せ替え感覚で覆い部を取り替えることができ、手袋を個性豊かに演出することが可能となる。
【００２９】
［変形例４］
さらに、図５に表すように、上記各実施形態における係止部に採用した面ファスナーに代えて、スナップボタンによって、覆い部の一端を甲部と係止する構成としてもよい。手袋の甲部４０の手指側にスナップボタン凹部４０１を取り付け、覆い部４１の端部（固定部４０３とは反対側）にスナップボタン凸部４０２を取り付ける。なお、各スナップボタンは打具を使用して手袋に取り付けるものであっても、縫合により手袋に取り付けるものであっても、どちらでもよい。
【００３０】
スナップボタン凹部４０１にスナップボタン凸部４０２が嵌め合わされることにより、覆い部４１が甲部４０に係止され、覆い部４１により鏡４２が覆われる。
【００３１】
なお、上記の各実施形態における係止部には、上記のように面ファスナーやスナップボタンを採用したが、覆い部を手袋の甲部に係止することができるものであれば、これらに限られることはない。例えば、各実施形態における係止部として、手袋の甲部にボタンを縫いつけ、該ボタンに引っ掛けるボタン穴を覆い部に設ける構成としてもよい。
【００３２】
本考案は、覆い部の一端を手袋本体の手首側近傍で甲部と固定する第１の固定部と、覆い部のもう一端を手袋本体の手指側近傍で甲部と着脱自在に係止する第１の係止部とを備えることを特徴としてもよい。これにより、鏡を使用しないとき、覆い部の端部を第１の係止部に係止することで、鏡が覆い部で覆われるので鏡の汚れや傷つきを防止することができる。
【００３３】
本考案は、覆い部の一端を手袋本体の親指側近傍で甲部と固定する第２の固定部と、覆い部のもう一端を手袋本体の小指側近傍で甲部と着脱自在に係止する第２の係止部とを備えることを特徴としてもよい。これにより、鏡を使用しないとき、覆い部の端部を第１の係止部に係止することで鏡が覆い部で覆われるので、鏡の汚れや傷つきを防止することができる。さらに、手袋の小指側を上部にし、親指側を下部として鏡を使用したい場合に対応することができる。
【００３４】
本考案は、覆い部の一端を手袋本体の手首側近傍で甲部と着脱自在に係止する第３の係止部と、覆い部のもう一端を手袋本体の手指側近傍で甲部と着脱自在に係止する第４の係止部とを備えることを特徴としてもよい。これにより、覆い部を甲部から取り外すことができるので、覆い部が汚れたときには覆い部のみを洗濯でき、また覆い部が破損したときは、代替品に交換することが容易になる。
【００３５】
本考案は、覆い部が、鏡の鏡面を払拭する鏡面払拭部をさらに備えることを特徴としてもよい。これにより、鏡が汚れたときには、覆い部に設けた鏡面払拭部により鏡の鏡面を払拭することで、鏡の汚れをすぐに落とすことができる。
【００３６】
本考案は、覆い部が、外部からの衝撃を吸収する衝撃吸収部をさらに備えることを特徴としてもよい。これにより、外部から衝撃があっても、衝撃吸収部を備えた覆い部により、その衝撃が緩和されるため、鏡の破損を防ぐことができる。
【００３７】
本考案は、覆い部が、甲部を装う外装部をさらに備えることを特徴としてもよい。覆い部を、使用する手袋と同じ模様や色彩を施したデザインの外装部で構成すれば、覆い部を設けることにより手袋のデザイン（見栄え）が損なわれることも無い。また、覆い部を、いわゆるワンポイントマークのようなデザインの外装部で構成すれば、各人の好みに応じた図柄を手袋に反映させることができる。さらに、様々なデザインが施された覆い部を上記の着脱自在な構成とすることで、着せ替え感覚で手袋を個性豊かに演出することができる。
【００３８】
なお、上述する各実施の形態は、本考案の好適な実施の形態であり、本考案の要旨を逸脱しない範囲内において種々変更実施が可能である。
【符号の説明】
【００３９】
１、２、３、４    鏡付手袋
１０、２０、３０、４０    甲部
１１、２１、３１、４１    覆い部
１２、２２、３２、４２    鏡
１０１、２０１、３０１、３０３    面ファスナーループ部
１０２、２０２、３０２、３０４    面ファスナーフック部
１０３、２０３、４０３    固定部
４０１    スナップボタン凹部
４０２    スナップボタン凸部
【図１】
0003174788.tif 000003
【図２】
0003174788.tif 000004
【図３】
0003174788.tif 000005
【図４】
0003174788.tif 000006
【図５】
0003174788.tif 000007